(57)【要約】【課題】  火災時にガラスと上框の間に貫通孔が形成されるのを防止できる建具の提供。【解決手段】  枠１と、障子２，３とを備え、枠１は、上枠４の下面に金属製の上がり止め部品５，６を有し、火災時に縦框２４，２５が熱伸びしたときでもガラス７の上端と上框８のガラス保持溝９とのかかりが維持される。【選択図】      図３
2020066902.tif 000002
【特許請求の範囲】
【請求項１】
枠と、障子とを備え、枠は、上枠の下面に金属製の上がり止め部品を有し、火災時に縦框が熱伸びしたときでもガラスの上端と上框のガラス保持溝とのかかりが維持されることを特徴とする建具。
【発明の詳細な説明】
【技術分野】
【０００１】
本発明は、防火性能を有する建具に関する。
【背景技術】
【０００２】
従来の引違い窓では、防犯上、障子の窓枠からの取り外しを防ぐために、上枠に合成樹脂製の外れ止めを取付けて障子の上昇を規制している（例えば、特許文献１参照。）。
かかる従来の窓は、火災時には合成樹脂製の外れ止めは溶融してしまい、すると障子の縦框が熱伸びするのに伴って上框のガラスとのかかり代がなくなり、ガラスの上端と上框との間に貫通孔が形成される問題があった。
【先行技術文献】
【特許文献】
【０００３】
【特許文献１】特許第３８６９７０９号公報
【発明の概要】
【発明が解決しようとする課題】
【０００４】
本発明は以上に述べた実情に鑑み、火災時にガラスと上框の間に貫通孔が形成されるのを防止できる建具の提供を目的とする。
【課題を解決するための手段】
【０００５】
上記の課題を達成するために請求項１記載の発明による建具は、枠と、障子とを備え、枠は、上枠の下面に金属製の上がり止め部品を有し、火災時に縦框が熱伸びしたときでもガラスの上端と上框のガラス保持溝とのかかりが維持されることを特徴とする。
【発明の効果】
【０００６】
請求項１記載の発明による建具は、上枠の下面に金属製の上がり止め部品を有し、火災時に縦框が熱伸びしたときでもガラスの上端と上框のガラス保持溝とのかかりが維持されるため、ガラスと上框の間に貫通孔が形成されるのを防止できるので、防火性能が向上する。
【図面の簡単な説明】
【０００７】
【図１】本発明の建具の一実施形態を示す縦断面図である。
【図２】同建具の室内側正面図である。
【図３】同建具の火災時の状態を示す縦断面図である。
【図４】比較例として、同建具の上枠に上がり止め部品が取付けられていない場合の火災時の状態を示す縦断面図である。
【図５】本発明の建具の他の実施形態を示す縦断面図である。
【図６】同建具の火災時の状態を示す縦断面図である。
【図７】比較例として、同建具の上枠に上がり止め部品が取付けられていない場合の火災時の状態を示す縦断面図である。
【発明を実施するための形態】
【０００８】
以下、本発明の実施の形態を図面に基づいて説明する。図１，２は、本発明の建具の一実施形態を示している。この建具は、ビル用の引違い窓に適用したものであって、躯体（図示省略）の開口部に取付けられる枠１と、枠１内に引違い状に開閉自在に設けた外障子２及び内障子３を備える。
【０００９】
枠１は、アルミ合金の押出形材よりなる上枠４と下枠１０と左右の縦枠１１，１１を四周枠組みして構成してある。
上枠４は、図１に示すように、室外側端部に室外側壁１２を垂下して設けてあり、室外側壁１２の室内側に外障子２の上部を案内するレール１３が垂下して設けてある。さらに上枠４は、室内外方向の中間に中間垂下片１４を有し、室内側端部に室内側壁１５が垂下して設けてあり、中間垂下片１４と室内側壁１５との間の溝１６に内障子３の上部を案内している。中間垂下片１４と室内側壁１５の下部にはタイト材ホルダー１７が設けられ、タイト材ホルダー１７にタイト材１８が室外側に向けて取付けてあり、各タイト材１８が外障子２の室内側面と内障子３の室内側面にそれぞれ当接している。
【００１０】
下枠１０は、図１に示すように、室内側が高くなるように略階段状に形成され、外障子２の下部を案内する外レール１９と、内障子３の下部を案内する内レール２０と、室内側壁２１と、内レール２０の付け根部より室外側に突出する突出片２２を有している。突出片２２の先端部と室内側壁２１の上部にはタイト材ホルダー１７が設けられ、タイト材ホルダー１７にタイト材１８が室外側に向けて取付けてあり、各タイト材１８が外障子２の室内側面と内障子３の室内側面にそれぞれ当接している。
【００１１】
外障子２と内障子３は、図１，２に示すように、アルミ合金の押出形材よりなる上框８と下框２３と戸先框２４と召合せ框２５とを四周框組みし、各框の内周側に開口して設けたガラス保持溝９にグレイジングガスケット２６を介してガラス７の外周縁部を嵌め込んで構成してある。下框２３には、左右２箇所に樹脂製の戸車３５が取付けてあり、各戸車３５は下枠１０のレール１９，２０の上端部と係合している。下框２３のガラス保持溝９内には、金属製のガラス敷板２７が設けてある。また、各框８，２３，２４，２５のガラス保持溝２７内には、火災時に火災の熱で発泡・膨張する加熱発泡材２８が長手方向に沿って設けてある。
ガラス７の上端と上框８のガラス保持溝９底面間の隙間（エッジクリアランス）ａは５．５ｍｍ、上框８のガラス７とのかかり代ｂは７．５ｍｍとしてある。ガラス７の下端と下框２３のガラス保持溝９底面間の隙間（エッジクリアランス）ｃは６．５ｍｍ、下框２３のガラス７とのかかり代ｄは７．５ｍｍとしてある。なお、エッジクリアランスは、排水等の理由から所定の寸法以上とすることが、平成２８年度版公共建築工事標準仕様書（建築工事偏）（国土交通省大臣官房官庁営繕部監修）の第１６章 建具工事、表１６．１４．１に規定されており、ガラスの框とのかかり代も合わせて規定されており、上記の寸法はこの基準に適合したものである。ちなみに同基準では、ガラスが単板ガラスでガラス留め材がグレイジングガスケットの場合、エッジクリアランスは４ｍｍ以上、かかり代は６．５ｍｍ以上と定められている。
【００１２】
図１に示すように、レール１３と中間垂下片１４の間の上枠４下面には外障子２用の上がり止め部品５が取付けてあり、中間垂下片１４と室内側壁１５の間の上枠４下面には内障子３用の上がり止め部品６が取付けてある。各上がり止め部品５，６は、図２に示すように、各障子２，３の上方位置に間隔をおいて２つずつ設けてある。
外障子２用の上がり止め部品５は、アルミ形材を所定の長さに切断して形成したものであり、上部に二股状になった係合部２９，２９を有し、各係合部２９，２９を上枠４のレール１３と中間垂下片１４の根元部分に対向して形成された突条３０，３０に係合して取付けてある。
内障子３用の上がり止め部品６も、アルミ形材を所定の長さに切断して形成したものであり、略階段状に形成され、室外側端部に設けた突起３１を上枠４の中間垂下片１４の根元部分に形成された段部３２に係合するとともに、室内側端部を上枠４の室内側壁１５のタイト材ホルダー１７上に係合している。なお、上枠４の突条３０及び段部３２は、上枠４下面に図示しない風止め板を取付けるためにもともと形成してあるもので、上がり止め部品５，６はそれらを利用して取付けできるようにしてある。
外障子２用及び内障子３用の上がり止め部品５，６には、押しねじ３３，３４がそれぞれ設けてあり、押しねじ３３，３４を緩めると当該上がり止め部品５，６は上枠４の長手方向にスライドでき、押しねじ３３，３４を締め付けると押しねじ３３，３４の先端が上枠４下面に押し付けられ、上がり止め部品５，６を上枠４の長手方向の任意の位置で固定できる。したがって、上下枠４，１０間に障子２，３をけんどんで建て込む際には、押しねじ３３，３４を緩めて上がり止め部品５，６を側端部等の邪魔にならない位置にスライドさせ、障子２，３を建て込んだ後に各上がり止め部品５，６を図２に示すような位置にスライドし、押しねじ３３，３４を締め付けて上がり止め部品５，６を固定する。
平常時において、障子２，３の上端と上がり止め部品５，６の下面との間には、３ｍｍ程度の隙間が設けてある。
【００１３】
図３は、本建具の火災時の状態を示している。火災時には、戸車３５やグレイジングガスケット２６等の樹脂製の部品は火災の熱で溶融し、消失する。障子２，３は、縦框（戸先框２４及び召合せ框２５）が火災の熱で上下方向に伸び、外障子２の下框２３の下端が下枠１０上面に当接し、内障子３の縦框２４，２５下部の切欠き３６が下枠１０の内レール２０の上端部に当接する。下框２３のガラス保持溝９内のガラス敷板２７は金属製のため、火災時でも残ってガラス７の下がりを防ぐ。一方、障子２，３の上框８は、上枠４下面に取付けた上がり止め部品５，６に当接することで上昇が規制される。
ガラス７も火災の熱で伸びるが、伸びる量は框２４，２５よりも少ないため、上がり止め部品５，６が無いと、図４に示すように、ガラス７の上端と上框８の間に貫通孔３７ができるが、本建具は上枠４下面に設けた上がり止め部品５，６により上框８の上昇が規制されることで、図３に示すように、ガラス７の上端と上框８のガラス保持溝９とのかかりが維持されるため、ガラス７と上框８の間に貫通孔が形成されるのを防止できる。さらに、ガラス保持溝９内の隙間は発泡した加熱発泡材２８で塞がれる。したがって、上框８とガラス７の間から火炎や煙が連通するのを阻止でき、高い防火性能を発揮する。
【００１４】
従来、火災時にガラス７と上框８の間に貫通孔ができるのを防ぐ対策として、框のガラス保持溝９を深くしてガラス７のかかり代を大きくしていたが、そうすると框の見付寸法が大きくなって意匠性が悪く、ガラスの面積も小さくなるので採光量が減少する。本建具は、ガラスの７かかり代を大きくすることなく火災時にガラス７と上框８の間に貫通孔ができるのを防ぐことができ、意匠性、採光性にも優れる。
【００１５】
図５は、本発明の建具の他の実施形態であって、たてすべり出し窓に適用したものを示している。本建具は、躯体開口部に取付けられる枠１と、枠１内に設けた障子３８とを備え、障子３８は図示しないフリクションステーにより上枠４と下枠１０に開閉自在に支持されている。
上枠４下面の室外側位置には、アルミ合金製のブロック状の上がり止め部品３９が取付けてある。上がり止め部品３９は、上枠４の長手方向の中央部１箇所、又は左右２箇所に設けてある。上がり止め部品３９は、上枠４下面にねじ４０で固定してある。
【００１６】
図６は、本建具の火災時の状態を示している。火災時には、障子３８の縦框が火災の熱で上下方向に伸びることで、上框８が上方に、下框２３が下方に移動しようとするが、上枠４下面に上がり止め部品３９が設けてあることで、上框８の上端が上がり止め部品３９に当たり、上框８の上昇が規制される。上がり止め部品３９が無いとすると、框の熱伸び量に対してガラス７の熱伸び量が小さいため、図７に示すように、ガラス７の上端と上框８の間に貫通孔３７ができるが、本建具は上がり止め部品３９により上框８の上昇が規制されることで、図６に示すように、ガラス７の上端と上框８のガラス保持溝９とのかかりが維持されるため、ガラス７と上框８の間に貫通孔が形成されるのを防止できる。
【００１７】
以上に述べたように本建具は、上枠４の下面に金属製の上がり止め部品５，６，３９を有し、火災時に縦框２４，２５が熱伸びしたときでもガラス７の上端と上框８のガラス保持溝９とのかかりが維持されるため、ガラス７と上框８の間に貫通孔が形成されるのを防止できるので、防火性能が向上する。
障子２，３，３８は、框８，２３，２４，２５のガラス保持溝９内に加熱発泡材２８が設けてあるので、火災時にガラス保持溝９内の隙間を発砲した加熱発泡材２８が塞ぐので、火炎が連通するのをより確実に防止できる。
また、障子２，３は樹脂製の戸車３５を有する引戸であり、下框２３のガラス保持溝９内に金属製のガラス敷板２７を有するので、火災時に樹脂製の戸車３５が消失して下框２３が下降するが、金属製のガラス敷板２７によりガラス７の下がりを防止でき、上がり止め部品５，６により上框８の上昇を規制したことと相まって、ガラス７と框８間に貫通孔が形成されるのを確実に防止できる。
【００１８】
本発明は以上に述べた実施形態に限定されない。上がり止め部品の材質、形状は、適宜変更することができる。ガラスの種類、框への固定手段は、任意である。障子は、枠に固定した固定障子であってもよい。本発明の建具は、引違い窓やたてすべり出し窓に限らず、あらゆる窓種に対応することができる。
【符号の説明】
【００１９】
１  枠
２  外障子（障子）
３  内障子（障子）
４  上枠
５，６  上がり止め部品
７  ガラス
８  ガラス保持溝
３８  障子
３９  上がり止め部品
【図１】
2020066902.tif 000003
【図２】
2020066902.tif 000004
【図３】
2020066902.tif 000005
【図４】
2020066902.tif 000006
【図５】
2020066902.tif 000007
【図６】
2020066902.tif 000008
【図７】
2020066902.tif 000009